【事件の表示】
　特許第２９８２７８１号「テーププリンタ及びその制御方法」の請求項１ないし４に係る特許に対する特許異議の申立てについて、次のとおり決定する。
【結　論】
　訂正を認める。
　特許第２９８２７８１号の請求項１ないし４に係る特許を維持する。
【理　由】
１．手続の経緯
　特許第２９８２７８１号の請求項１〜４に係る発明についての出願は、平成３年６月２７日に出願された特願平3-156423号の分割出願として平成１０年２月２６日に出願され（特願平10-64643号）、平成１１年９月２４日にその発明について特許権の設定登録がなされ、その後、その特許について、異議申立人　佐藤勝明、相原光政より特許異議の申立がなされ、取消の理由が通知され、その指定期間内である平成１２年１１月７日に、特許異議の意見書とともに訂正請求がなされたものである。
　
２．訂正の適否についての判断
(1)訂正の内容
　特許権者が求めている訂正の内容は、以下のａ、ｂ、ｃ、ｄ、ｅ、ｆのとおりである。
ア．訂正事項ａ
　特許請求の範囲の請求項１に記載された、「テープ状部材を送るテープ送り手段」、「前記テープ送り手段が停止した状態で、送り出された前記テープ状部材のラベル要素部分を切断するテープ切断手段」を、それぞれ、「テープ状部材をテープカセットから引き出して送ると共に送り停止時にモータがホールド制御されるテープ送り手段」、「前記テープ送り手段が停止した状態で、送り出された前記テープ状部材のラベル要素部分をその印刷長さに応じて切断するテープ切断手段」と訂正して、
　請求項１を、
「テープ状部材をテープカセットから引き出して送ると共に送り停止時にモータがホールド制御されるテープ送り手段と、
　前記テープ送り手段により送られてゆく前記テープ状部材に印刷を行うテープ印刷手段と、
　前記テープ送り手段が停止した状態で、送り出された前記テープ状部材のラベル要素部分をその印刷長さに応じて切断するテープ切断手段と、
　前記ラベル要素部分の繰返し印刷回数を設定可能な印刷回数設定手段と、
　前記印刷回数設定手段により設定された繰返し印刷回数に従って、前記テープ送り手段の送り動作及び前記テープ印刷手段の印刷動作と、前記テープ切断手段の切断動作とを連続して繰り返すように制御する制御手段とを備えたテーププリンタにおいて、
　前記制御手段は、任意の１の前記ラベル要素部分の印刷動作と、これに先行する前記ラベル要素部分の切断動作とが重なる場合に、一連の印刷動作の途中で前記テープ送り手段の送り動作及び前記テープ印刷手段の印刷動作を一時休止させ、前記テープ切断手段を切断動作させることを特徴とするテーププリンタ。」と訂正するもの。
　
イ．訂正事項ｂ
　特許請求の範囲の請求項２に記載された、「前記制御手段は、印刷開始時において前記テープ状部材が前記ラベル要素部分の送り方向の前部に不用部分を有する場合に、」を、「前記制御手段は、印刷開始時において前記テープ状部材が前記ラベル要素部分の送り方向の前部に不用部分を有する場合に、印刷指令を受けた後、」と訂正して、
　請求項２を、
「前記制御手段は、印刷開始時において前記テープ状部材が前記ラベル要素部分の送り方向の前部に不用部分を有する場合に、印刷指令を受けた後、
　前記テープ送り手段の送り動作および前記テープ印刷手段の印刷動作を一時休止させ、前記テープ切断手段を切断動作させて前記不用部分を切断することを特徴とする請求項１に記載のテーププリンタ。」と訂正するもの。
　
ウ．訂正事項ｃ
　特許請求の範囲の請求項４に記載された、「テープ状部材を送りながら当該テープ状部材に印刷を行うと共に、」、「当該テープ状部材の送りを停止させて」、「当該テープ状部材のラベル要素部分を切断すると共に、」、「ラベル要素部分を複数回の印刷する場合に、」を、それぞれ、「テープ状部材をテープカセットから引き出して送りながら当該テープ状部材に印刷を行うと共に、」、「当該テープ状部材の送りをモータホールド状態で停止させ、」、「当該テープ状部材のラベル要素部分をその印刷長さに応じて切断すると共に、」、「ラベル要素部分を複数回印刷する場合に、」と訂正して、
　請求項４を、
「テープ状部材をテープカセットから引き出して送りながら当該テープ状部材に印刷を行うと共に、印刷終了後、当該テープ状部材の送りをモータホールド状態で停止させ、当該テープ状部材のラベル要素部分をその印刷長さに応じて切断すると共に、
　ラベル要素部分を複数回印刷する場合に、当該回数分、印刷動作及びこれに伴う前記テープ状の送り動作と、前記テープ状部材の切断動作とを連続して繰り返すテーププリンタの制御方法において、
　前記ラベル要素部分を複数回の印刷する場合であって、任意の１の前記ラベル要素部分の印刷動作と、これに先行する前記ラベル要素部分の切断動作とが重なる場合に、一連の印刷動作の途中で前記テープ送り手段の送り動作及び前記テープ印刷手段の印刷動作を一時休止させ、前記テープ切断手段を切断動作させることを特徴とするテーププリンタの制御方法。」と訂正するもの。
　
エ．訂正事項ｄ
　発明の詳細な説明の段落番号【０００８】に記載された、「テープ状部材を送るテープ送り手段」、「テープ送り手段が停止した状態で、送り出されたテープ状部材のラベル要素部分を切断するテープ切断手段」を、それぞれ、「テープ状部材をテープカセットから引き出して送ると共に送り停止時にモータがホールド制御されるテープ送り手段」、「テープ送り手段が停止した状態で、送り出されたテープ状部材のラベル要素部分をその印刷長さに応じて切断するテープ切断手段」と訂正して、
　【０００８】の記載を、
「【０００８】
【課題を解決するための手段】　本発明テーププリンタは、テープ状部材をテープカセットから引き出して送ると共に送り停止時にモータがホールド制御されるテープ送り手段と、テープ送り手段により送られてゆくテープ状部材に印刷を行うテープ印刷手段と、テープ送り手段が停止した状態で、送り出されたテープ状部材のラベル要素部分をその印刷長さに応じて切断するテープ切断手段と、ラベル要素部分の繰返し印刷回数を設定可能な印刷回数設定手段と、印刷回数設定手段により設定された繰返し印刷回数に従って、テープ送り手段の送り動作及びテープ印刷手段の印刷動作と、テープ切断手段の切断動作とを連続して繰り返すように制御する制御手段とを備えたテーププリンタにおいて、制御手段は、任意の１の前記ラベル要素部分の印刷動作と、これに先行するラベル要素部分の切断動作とが重なる場合に、一連の印刷動作の途中でテープ送り手段の送り動作及びテープ印刷手段の印刷動作を一時休止させ、テープ切断手段を切断動作させることを特徴とする。」と訂正するもの。
　
オ．訂正事項ｅ
　発明の詳細な説明の段落番号【０００９】に記載された、「テープ状部材を送りながらテープ状部材に印刷を行うと共に、印刷終了後、テープ状部材の送りを停止させてテープ状部材のラベル要素部分を切断すると共に、」を、「テープ状部材をテープカセットから引き出して送りながらテープ状部材に印刷を行うと共に、印刷終了後、テープ状部材の送りをモータホールド状態で停止させ、テープ状部材のラベル要素部分をその印刷長さに応じて切断すると共に、」と訂正して、
　【０００９】の記載を、
「【０００９】また、本発明のテーププリンタの制御方法は、テープ状部材をテープカセットから引き出して送りながらテープ状部材に印刷を行うと共に、印刷終了後、テープ状部材の送りをモータホールド状態で停止させ、テープ状部材のラベル要素部分をその印刷長さに応じて切断すると共に、ラベル要素部分を複数回の印刷する場合に、その回数分、印刷動作及びこれに伴うテープ状の送り動作と、テープ状部材の切断動作とを連続して繰り返すテーププリンタの制御方法において、ラベル要素部分を複数回の印刷する場合であって、任意の１のラベル要素部分の印刷動作と、これに先行するラベル要素部分の切断動作とが重なる場合に、印刷動作及び送り動作を一時休止させ、切断動作を優先させることを特徴とする。」と訂正するもの。
　
カ．訂正事項ｆ
　発明の詳細な説明の段落番号【００１１】に記載された、「、テープ送り手段の送り動作およびテープ印刷手段の印刷動作を一時休止させ、」を、「印刷指令を受けた後、テープ送り手段の送り動作およびテープ印刷手段の印刷動作を一時休止させ、」と訂正して、　【００１１】の記載を、
「【００１１】この場合、制御手段は、印刷開始時においてテープ状部材がラベル要素部分の送り方向の前部に不用部分を有する場合に、印刷指令を受けた後、テープ送り手段の送り動作およびテープ印刷手段の印刷動作を一時休止させ、テープ切断手段を切断動作させて不用部分を切断することが、好ましい。」と訂正するもの。
　
(2)訂正の目的の適否、新規事項の有無及び特許請求の範囲の拡張・変更の存否
ア．訂正事項ａについて
　訂正事項ａの「テープ状部材をテープカセットから引き出して送ると共に送り停止時にモータがホールド制御されるテープ送り手段」との訂正は、特許明細書の段落番号【００１６】、【００２３】、【００３１】〜【００３６】の記載及び図４、８〜１０に記載されている事項に基づいて、「テープ状部材を送るテープ送り手段」をより下位概念に限定することによって、特許請求の範囲を減縮するものである。
　また、訂正事項ａの「前記テープ送り手段が停止した状態で、送り出された前記テープ状部材のラベル要素部分をその印刷長さに応じて切断するテープ切断手段」との訂正も、特許明細書の段落番号【００２６】、【００４３】、【００５２】の記載及び図５、１４に記載されている事項に基づいて、「前記テープ送り手段が停止した状態で、送り出された前記テープ状部材のラベル要素部分を切断するテープ切断手段」をより下位概念に限定することによって、特許請求の範囲を減縮するものである。
　そして、訂正事項ａは、実質上特許請求の範囲を拡張又は変更するものではない。
イ．訂正事項ｂについて
　訂正事項ｂの「前記制御手段は、印刷開始時において前記テープ状部材が前記ラベル要素部分の送り方向の前部に不用部分を有する場合に、印刷指令を受けた後、」との訂正は、特許明細書の段落番号【００３０】、【００５１】に記載されている事項に基づいて、記載事項が明りょうとなるように訂正したものである。
　そして、訂正事項ｂは、実質上特許請求の範囲を拡張又は変更するものではない。
ウ．訂正事項ｃについて
　訂正事項ｃの「テープ状部材をテープカセットから引き出して送りながら当該テープ状部材に印刷を行うと共に、」、「当該テープ状部材の送りをモータホールド状態で停止させ、」、「当該テープ状部材のラベル要素部分をその印刷長さに応じて切断すると共に、」との訂正は、いずれも、上記「ア．」ですでに述べたように、「テープ状部材を送りながら当該テープ状部材に印刷を行うと共に、」、「当該テープ状部材の送りを停止させて」、「当該テープ状部材のラベル要素部分を切断すると共に、」をより下位概念に限定することによって、特許請求の範囲を減縮するものである。
　訂正事項ｃの「ラベル要素部分を複数回印刷する場合に、」との訂正は、「複数回の印刷する」を「複数回印刷する」と改めたもので、誤記の訂正を目的とするものである。
　そして、訂正事項ｃは、実質上特許請求の範囲を拡張又は変更するものではない。
エ．訂正事項ｄ、ｅ、ｆについて
　訂正事項ｄ、ｅ、ｆは、それぞれ、上記訂正事項ａ、ｂ、ｃによる特許請求の範囲の記載と発明の詳細な説明の記載とを整合させるための訂正であって、明りょうでない記載の釈明を目的とした訂正である。
　そして、訂正事項ｄ、ｅ、ｆは、実質上特許請求の範囲を拡張又は変更するものではない。
　
(3)むすび
　以上のとおりであるから、上記訂正（訂正事項ａ〜ｆ）は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立についての判断
(1)本件特許発明
　本件の請求項１〜４に係る特許発明（以下、それぞれ「本件特許発明１」〜「本件特許発明４」という。）は、上記訂正を認めたので、訂正明細書の特許請求の範囲の請求項１〜４に記載された事項により特定される下記のとおりのものである。
　
【請求項１】テープ状部材をテープカセットから引き出して送ると共に送り停止時にモータがホールド制御されるテープ送り手段と、
　前記テープ送り手段により送られてゆく前記テープ状部材に印刷を行うテープ印刷手段と、
　前記テープ送り手段が停止した状態で、送り出された前記テープ状部材のラベル要素部分をその印刷長さに応じて切断するテープ切断手段と、
　前記ラベル要素部分の繰返し印刷回数を設定可能な印刷回数設定手段と、
　前記印刷回数設定手段により設定された繰返し印刷回数に従って、前記テープ送り手段の送り動作及び前記テープ印刷手段の印刷動作と、前記テープ切断手段の切断動作とを連続して繰り返すように制御する制御手段とを備えたテーププリンタにおいて、
　前記制御手段は、任意の１の前記ラベル要素部分の印刷動作と、これに先行する前記ラベル要素部分の切断動作とが重なる場合に、一連の印刷動作の途中で前記テープ送り手段の送り動作及び前記テープ印刷手段の印刷動作を一時休止させ、前記テープ切断手段を切断動作させることを特徴とするテーププリンタ。
【請求項２】前記制御手段は、印刷開始時において前記テープ状部材が前記ラベル要素部分の送り方向の前部に不用部分を有する場合に、印刷指令を受けた後、
　前記テープ送り手段の送り動作および前記テープ印刷手段の印刷動作を一時休止させ、前記テープ切断手段を切断動作させて前記不用部分を切断することを特徴とする請求項１に記載のテーププリンタ。
【請求項３】前記ラベル要素部分には、実印刷部分に加え前部マージン及び後部マージンが含まれることを特徴とする請求項１又は２記載のテーププリンタ。
【請求項４】テープ状部材をテープカセットから引き出して送りながら当該テープ状部材に印刷を行うと共に、印刷終了後、当該テープ状部材の送りをモータホールド状態で停止させ、当該テープ状部材のラベル要素部分をその印刷長さに応じて切断すると共に、
　ラベル要素部分を複数回印刷する場合に、当該回数分、印刷動作及びこれに伴う前記テープ状の送り動作と、前記テープ状部材の切断動作とを連続して繰り返すテーププリンタの制御方法において、
　前記ラベル要素部分を複数回の印刷する場合であって、任意の１の前記ラベル要素部分の印刷動作と、これに先行する前記ラベル要素部分の切断動作とが重なる場合に、一連の印刷動作の途中で前記テープ送り手段の送り動作及び前記テープ印刷手段の印刷動作を一時休止させ、前記テープ切断手段を切断動作させることを特徴とするテーププリンタの制御方法。
　
(2)申立理由及び取消理由の概要
(2-1)申立人佐藤勝明は、下記の甲第１〜３号証を提出し、請求項１〜４に係る発明は、甲第１〜３号証の刊行物に記載されたものから容易に発明できたものであるから、特許法第２９条第２項の規定により特許を受けることができないものである旨主張している。
　甲第１号証：特開昭63-205264号公報（刊行物ａ）
　甲第２号証：実願昭60-98324号（実開昭62-9543号）のマイクロフィルム（刊行物ｂ）
　甲第３号証：実願昭63-76110号（実開平1-178948号）のマイクロフィルム（刊行物ｃ）
(2-2)申立人相原光政は、請求項２及び３の記載に対応する実施例が明細書に記載されていないので、特許法第３６条第４項又は第５項に規定する要件を満たしていないと主張するとともに、請求項１〜４に係る発明は、甲第１〜５号証の刊行物に記載されたものから容易に発明できたものであるから、特許法第２９条第２項の規定により特許を受けることができないものである旨主張している。
　甲第１号証：特開昭57-140183号公報（刊行物ｄ）
　甲第２号証：特開平2-184165号公報（刊行物ｅ）
　甲第３号証：特開昭63-205264号公報（刊行物ａ）
　甲第４号証：特開昭53-20733号公報（刊行物ｆ）
　甲第５号証：特開昭61-144687号公報（刊行物ｇ）
(2-3)平成１２年９月８日付け取消理由通知において、本件特許の請求項１〜４に係る発明は、下記の刊行物１〜３に記載された発明に基づいて、その出願前にその発明の属する分野における通常の知識を有するものが容易に発明することができたものと認められるから、本件の請求項１〜４に係る発明の特許は、特許法第２９条第２項の規定に違反してなされたものである旨の通知がなされた。
　刊行物１：上記刊行物ｄ
　刊行物２：上記刊行物ａ
　刊行物３：上記刊行物ｃ
　
(3)上記刊行物（ａ）〜（ｇ）の記載事項
　異議申立人佐藤勝明及び相原光政が提出した刊行物には、それぞれ、以下の事項が記載されている。
ア．刊行物ａ（特開昭63-205264号公報：取消理由の刊行物２）
　刊行物ａには、ロール紙を給送しながらプリントを行うプリント装置に関し、下記に示すように、印刷動作と切断動作が重なる場合に、記録紙の送り動作と印刷動作を一時的に中止し、切断を行うことが、図面とともに記載されている。
　「上述した従来のプリント装置では、１ページ分のプリントが終了すると自動的にロール紙をプリント位置と紙切取り位置との間の分だけ紙送りするようになっていたので、この給送分のロール紙が次回のプリント時に次ページの先頭に非プリント部分として常に付加されることとなり、場合によってはページ先頭の非プリント部分を取り除く作業が必要となったり、ロール紙が無駄に消費されたりすると言う問題があった。
　本発明の目的は、上述の点に鑑み、プリント中にページの始端が紙切取り位置に至ったときにプリントヘッドおよびフィードバックモータを一時停止させる一時停止手段を設けることにより、ページの先頭に非プリント部分を生じさせることなしにページの始端でペーパカットを行うことができるようにしたプリント装置を提供することにある。」（第１頁左欄第１７行〜第２頁左上欄第３行）、
　「モード切換スイッチ７１は、プリント途中でページ先頭の余白部分をカットするための一時停止をしプリント終了時にプリント位置から紙切取り位置までの紙送りを自動的に行う１コピー一時停止モードと、
・・・・・・・（中略）・・・・・・・・、プリント途中でページ先頭の余白部分および連続コピーをカットするための一時停止をしプリント終了時にプリント位置から紙切取り位置までの紙送りを行わない多コピー一時停止モードと、」（第４頁左下欄第１７行〜右下欄第８行）、
　「一時停止位置を示す値であれば、・・・・・、
　スタートスイッチ７４の押下操作によりプリントが再開された否かがウォッチングされる（ステップ１０９）。
　・・・・・・（中略）・・・・・・・・。
　プリント再開のウォッチング状態からスタートスイッチ７４が押下操作されると、・・・・・、副走査カウンタの値を見ることによりプリント動作が終了か否かを判定する（ステップ９６）。」（第７頁左上欄第８〜左下欄第２行）
　
イ．刊行物ｂ（実願昭60-98324号（実開昭62-9543号）のマイクロフィルム）
　刊行物ｂには、下記に示すように、連続して送り出される印字用紙を所定個所で自動的に切断する制御を行う印字装置の印字用紙切断制御装置に関して、送り機構による印字用紙の送りを制御する信号の出力を停止して切断機構を作動するための印字用紙切断信号を出力し、印字用紙の切断が完了したときの切断完了信号で印字動作を再開することが、図面とともに、記載されている。
　「次に、本実施例の動作を説明する。装置駆動前に置いては、初期リセット信号Ｐｒによりフリップフロップ回路４はリセットされ、その「０」側から信号が出力されている。この状態で、装置を駆動すべく用紙送りパルスＰｓがフリップフロップ回路１に入力されると、・・・・・・・（中略）・・・・・・・・・・
・・・・・・・・・・・・・したがって、ＡＮＤ回路５からは再び印字用紙送り信号が出力され、印字用紙が図示しない送り機構により送り出され、印字動作が再開される。」（第６頁第１０行〜第８頁第１５行）
　
ウ．刊行物ｃ（実願昭63-76110号（実開平1-178948号）のマイクロフィルム：取消理由の刊行物３）
　刊行物ｃには、書類等の見出しラベルを作成可能なラベル印字装置に関して、実印字部分の前部及び後部にマージンを設けた印字例が記載されている。（第５〜７図）。
　
エ．刊行物ｄ（特開昭57-140183号公報：取消理由の刊行物１）
　刊行物ｄには、クリーニング物の管理の際に用いるタグプリンタに関して、下記の事項が図面とともに記載されている。
　タグの送り手段、印刷手段、切断手段：「７はロール状のタグ紙８，押え板９，軸１０等よりなりタグ紙８を軸１０を中心として回転させ供給する紙供給機構である。１１はリボン送り機構、１２はプリント機構、１３は紙カット機構であり、リボン送り機構１１およびプリント機構１２の間に送られたタグ紙８は所定の印刷が施された後、紙カット機構１３により途中カットあるいは全カットされてタグ取り出し口１４より送出されるものである。」（第２頁左上欄第２０行〜右上欄第８行）、
　タグの切断：「（ＰＣ）は紙カットキーでタグ紙をカットしたいときおよび第３群Ｇ3の数字の減加算設定時に使用する。また（ＰＦ）は紙供給キーでこれを押している間紙の供給が行われ、４種類の項目設定終了と第３群Ｂ3の置数後終了宣言に使用するものである。」（第２頁右下欄第１０〜１７行）、
　タグの印刷：「以上の操作で顧客を待つ準備が完了し、クリーニングの依頼があると持ち込み点数により
　　　　　　　　（数字キー４）→（Ｆ）
の順序で、数字キー４により発行枚数を指示し（Ｆ）の操作によりそれぞれ希望する項目通りのプリントを行うことができる。」（第３頁右上欄第７〜１２行）、
　タグの切断：「またタグ紙のカットの指示は、例えば第１種の項目で、持込点数が３の場合に
　　　　　　　　（数字キー４）→（Ｆ）
の順序で、まず数字キー４の（３）を押し次いで（Ｐ）を操作することにより、第７図に示すように２枚目までは途中カットで３枚目が全カットのタグを得ることができる。」（第３頁右上欄第１３〜１９行）、
　タグの切断：「第１１図は(3)の紙供給の動作を示すもので、紙供給キー（ＰＦ）が押された場合、紙供給用ソレノイドをオンにしパルスモータを１分角動かし、さらに紙供給キー（ＰＦ）が押されている場合には再びパルスモータを１分角動かし、これを紙供給キー（ＰＦ）の押圧が解かれるまで繰返す。」（第３頁右下欄第６〜１１行）、
　タグの装着：「第２図に示したロール状のタグ紙８は、軸１０を中心として回動自在なロール１０’に装着されているが、その内周端はロール１０’に固着され外周端は紙送り用ローラ７０および紙送り補助ローラ７１に挟んで図示しないプリント機構に送られている。」（第５頁第２〜６行）
　
オ．刊行物ｅ（特開平2-184165号公報）
　刊行物ｅには、ロール状の記録紙にプリントし、その記録紙を切断する技術に関し、下記に示すように、印刷動作と切断動作が重なる場合には、記録紙の送り動作と印刷動作を一時的に休止させて、切断を行うことが、図面とともに記載されている。
　「記録紙６の切断は、従来のように１ページの記録終了直後に行なわず、続くページの記録がある程度進行し、最初のページの記録位置がカッタ４ａ、４ｂの切断位置に到達した時点で、つまり後続ページの記録中に行うようにする。」（第４頁左上欄第１６行〜右上欄第１行）、
　「ステップＳ２３においては、ページ間において１ページの印字終了後何ライン記録したら、カット動作を行なうかを決定する１６ビットのカウンタＣＮＴに０ＦＦＦＦＨ（Ｈは１６進数を示す）をセットする。
　後述のように、カウンタＣＮＴは、１ページの記録終了後に１ラインの記録毎に１つデクリメントされ値が０になった場合に記録紙６のカットを行う。」
　
カ．刊行物ｆ（特開昭53-20733号公報）
　刊行物ｆには、下記に示すように、印字装置における連続印字用紙の切断制御装置に関し、印刷動作と切断動作が重なる場合に、記録紙の送り動作と印刷動作を一時的に中止し、切断を行うことが、図面とともに記載されている。
　「従来の用紙切断装置においては、印字用紙を切断する場合に、印字用紙上の切断位置を切断機位置まで送って停止させ、しかる後に切断を実行させる方法をとっている。かかる方法においては、・・・・・・・（中略）・・・・・・・・
　本発明では、この印字用紙の連続性を利用し、１ジョブが終了したときに発せられる切断指令によって直ちに印字用紙切断のための動作を起こさせずに、その切断指令を記憶せしめるだけにとどめて次のジョブを続行せしめ、用紙上の切断位置が切断機位置近傍まで送られたときに一時的に用紙送り信号を抑止して印字用紙の送りを停止せしめて印字用紙の切断を実行させ、切断動作終了後に用紙送り信号の抑止を解除させようとするものである。」（第１頁右欄第１７行〜第２頁左上欄第２０行）
　
キ．刊行物ｇ（特開昭61-144687号公報）
　刊行物ｇには、磁気ロール紙に印刷を行う装置に関して、下記に示すように、印刷開始時に前方に不用部分が存在する場合に、不用部分をカットすることが、図面とともに記載されている。
　「第４図は、磁気ロール紙を順方向にのみ搬送し、磁気記録をした場合の動作を示したもので損失磁気値札1-100が生じる説明を行う。このときは本発明によるバッファ回路がない場合の本発明を実施しないケースである。」（第２頁右下欄第１６〜２０行）、
　「時刻Ｔ3は商品情報1ａ〜1ｚの磁気記録を終了し前に残っていた磁気値札1-100をカッタ6-1で切断し、次の商品情報2ａ〜2ｚの最初の情報2ａを磁気記録し始めている状態を示す。」（第３頁第１３〜１７行）、
　「以上説明した如く、磁気値札を作成開始する直前ではカッタ6-1から磁気ヘッド5-1の間にある磁気ロール紙1-100が損失となることが判る。」（第３頁第６〜９行）
　
(4)対比・判断
【本件特許発明１について】
　平成１２年８月２５日付けで通知した取消理由通知において、刊行物１として引用された刊行物ｄに記載された「紙供給機構７」、「タグ紙８」、「プリント機構１２」、「紙カット機構１３」、「演算部２０」及び「タグプリンタ」は、それぞれ、本件特許発明１の「テープ送り手段」、「テープ状部材」、「テープ印刷手段」、「テープ切断手段」、「制御手段」及び「テーププリンタ」に相当するものであるから、本件特許発明１の用語を使用して本件特許発明１と刊行物ｄに記載された発明とを対比すると、両者は、「テープ状部材を送るテープ送り手段と、前記テープ送り手段により送られてゆく前記テープ状部材に印刷を行うテープ印刷手段と、前記テープ送り手段が停止した状態で、送り出された前記テープ状部材のラベル要素部分を切断するテープ切断手段と、前記印刷回数設定手段により設定された繰返し印刷回数に従って、前記テープ送り手段の送り動作及び前記テープ印刷手段の印刷動作と、前記切断手段の切断動作とを連続して繰り返すように制御する制御手段とを備えたテーププリンタ。」で一致しており、下記の点で相違している。
　
　相違点１：本件特許発明１では、制御手段は、任意の１の前記ラベル要素部分の印刷動作と、これに先行する前記ラベル要素部分の切断動作とが重なる場合に、一連の印刷動作の途中で前記テープ送り手段の送り動作及び前記テープ印刷手段の印刷動作を一時休止させ、前記テープ切断手段を切断動作させているのに対し、刊行物ｄに記載された発明では、印刷動作と切断動作の関連が具体的に記載されていない点。
　相違点２：本件特許発明１では、テープ送り手段は、テープ状部材をテープカセットから引き出して送ると共に送り停止時にモータがホールド制御されるものであるのに対して、刊行物ｄに記載された発明では、紙供給機構７はロール状のタグ紙８を軸１０を回転させて供給するものであり、タグ紙８の切断位置が紙カット機構１３に達したときに停止するものである点。
　相違点３：本件特許発明１では、テープ切断手段が、テープ送り手段が停止した状態で、送り出されたテープ状部材の印刷済み部分をその印刷長さに応じて切断するものであるのに対して、刊行物ｄに記載された発明では、紙カット機構１３は、紙供給機構７が停止した後、ファンクションキー６の一つである紙カットキーＰＣを押すことにより切断動作を行うように構成されている点。
　
　上記相違点について、順次、検討すると、
　相違点１については、刊行物ａには、ロール紙を給送しながらプリントを行うプリント装置に関して、「プリント途中でページ先頭の余白部分および連続コピーをカットするための一時停止をしプリント終了時にプリント位置から紙切取り位置までの紙送りを行わない多コピー一時停止モード」で操作する場合の記載があるが、このモードで操作した場合は、一連の動作の途中でテープ送り動作及び印刷動作を一時休止させてテープを切断することとなる。そして、刊行物ｄ記載の発明も刊行物ａに記載された発明も、ロール用紙（タグ紙）、印刷手段、ロール用紙切断手段からなる装置であるので、刊行物ｄ記載の発明に、刊行物ａに記載された上記技術事項を採用することに格別の困難があったとは認められない。
　
　しかしながら、相違点２については、刊行物ａ〜ｃ、刊行物ｅ〜ｇいずれに記載されたものを見ても、テープ状部材はカセットに収容されておらず、テープをカセットから引き出して使用するものではなく、また、フィードモータの停止時にモータがホールド制御されるものではない。そして、それらを示唆する記載も認めることができない。
　本件特許発明１におけるテープ状部材は、カセットに収容できる程度の幅狭のテープ状部材であり、そのプラテンや送りローラ等とテープ状部材との接触面積が小さくなるため、切断時にテープ状部材が微少移動する可能性が高く、モータのホールド制御により、テープ状部材の移動を積極的に抑止するものである。これに対して、上記刊行物ａ〜ｇには、モータを停止して切断することは記載されていても、テープ状部材の微少移動を積極的に抑制することについては、示唆する記載もない。そして、本件特許発明は、上記相違点２の構成を有することにより、特許明細書に記載された格別な効果を奏するものと認められる。
　よって、上記相違点３について検討するまでもなく、本件特許発明１は、上記刊行物ａ〜ｇに記載された発明に基づいて当業者が容易に発明することができたものと認めることはできない。
　
【本件特許発明２について】
　本件特許発明２は、本件特許発明１をさらに特定するものであるので、刊行物ａ〜ｇに記載された発明に基づいて当業者が容易に発明することができたものと認めることはできない。
　
【本件特許発明３について】
　本件特許発明３は、本件特許発明１又は２をさらに特定するものであるので、刊行物ａ〜ｇに記載された発明に基づいて当業者が容易に発明することができたものと認めることはできない。
　
【本件特許発明４について】
　本件特許発明４は、本件特許発明１の「テーププリンタ」の制御方法であり、「テープ状部材をテープカセットから引き出して送りながら当該テープ状部材に印刷を行うと共に、印刷終了後、当該テープ状部材の送りをモータホールド状態で停止させ、」ることと、「テープ状部材のラベル要素部分をその印刷長さに応じて切断すると共に、」ことが特定されており、これらの事項は、上記【本件特許発明１について】で述べた、相違点１及び相違点２である。
　よって、上記【本件特許発明１について】で示したものと同様の理由から、本件特許発明４は、刊行物ａ〜ｇに記載された発明に基づいて当業者が容易に発明することができたものと認めることはできない。
　
【特許法第３６条第４項又は５項違反について】
　請求項２の記載に関し、異議申立人相原光政が記載不備であると主張する「前記制御手段は、印刷開始時において前記テープ状部材が前記ラベル要素部分の送り方向の前部に不用部分を有する場合に、」は、上記訂正ｂによって、「印刷指令を受けた後」が付加され「前記制御手段は、印刷開始時において前記テープ状部材が前記ラベル要素部分の送り方向の前部に不用部分を有する場合に、印刷指令を受けた後、」と訂正された。
　そして、訂正後の請求項２の記載により特定される事項は、特許明細書の発明の詳細な説明に記載された事項の範囲のものとなり、不明りょうな記載は解消された。請求項２を引用する請求項３の記載も、その結果、不明りょうな記載は解消された。
　よって、訂正後の請求項２及び３に係る特許は、特許法第３６条第４項又は５項に規定する要件を満たしていない特許出願に対してなされたものではない。
　
(5)むすび
　以上のとおりであるから、特許異議の申立ての理由及び証拠によっては、本件特許発明１〜４の特許を取り消すことができない。
　また、他に本件特許発明１〜４の特許を取り消すべき理由を発見しない。
　よって、結論のとおり決定する。
【異議決定日】
平成１３年１月２３日（２００１．１．２３）
【訂正の要旨】
訂正の要旨
　特許第２９８２７８１号の明細書を訂正請求書に添付した全文訂正明細書のとおりに訂正する。すなわち、
Ａ．特許請求の範囲の減縮及び明りょうでない記載の釈明を目的として、特許請求の範囲の請求項１，２及び４を訂正する。
（１）請求項１
　特許請求の範囲の請求項１に記載された、「テープ状部材を送るテープ送り手段」、「前記テープ送り手段が停止した状態で、送り出された前記テープ状部材のラベル要素部分を切断するテープ切断手段」を、それぞれ、「テープ状部材をテープカセットから引き出して送ると共に送り停止時にモータがホールド制御されるテープ送り手段」、「前記テープ送り手段が停止した状態で、送り出された前記テープ状部材のラベル要素部分をその印刷長さに応じて切断するテープ切断手段」と訂正して、
　請求項１を、
「テープ状部材をテープカセットから引き出して送ると共に送り停止時にモータがホールド制御されるテープ送り手段と、
　前記テープ送り手段により送られてゆく前記テープ状部材に印刷を行うテープ印刷手段と、
　前記テープ送り手段が停止した状態で、送り出された前記テープ状部材のラベル要素部分をその印刷長さに応じて切断するテープ切断手段と、
　前記ラベル要素部分の繰返し印刷回数を設定可能な印刷回数設定手段と、
　前記印刷回数設定手段により設定された繰返し印刷回数に従って、前記テープ送り手段の送り動作及び前記テープ印刷手段の印刷動作と、前記テープ切断手段の切断動作とを連続して繰り返すように制御する制御手段とを備えたテーププリンタにおいて、
　前記制御手段は、任意の１の前記ラベル要素部分の印刷動作と、これに先行する前記ラベル要素部分の切断動作とが重なる場合に、一連の印刷動作の途中で前記テープ送り手段の送り動作及び前記テープ印刷手段の印刷動作を一時休止させ、前記テープ切断手段を切断動作させることを特徴とするテーププリンタ。」と訂正する。
（２）請求項２
　特許請求の範囲の請求項２に記載された、「前記制御手段は、印刷開始時において前記テープ状部材が前記ラベル要素部分の送り方向の前部に不用部分を有する場合に、」を、
「前記制御手段は、印刷開始時において前記テープ状部材が前記ラベル要素部分の送り方向の前部に不用部分を有する場合に、印刷指令を受けた後、」と訂正して、
　請求項２を、
「前記制御手段は、印刷開始時において前記テープ状部材が前記ラベル要素部分の送り方向の前部に不用部分を有する場合に、印刷指令を受けた後、
　前記テープ送り手段の送り動作および前記テープ印刷手段の印刷動作を一時休止させ、前記テープ切断手段を切断動作させて前記不用部分を切断することを特徴とする請求項１に記載のテーププリンタ。」と訂正する。
（３）請求項４
　特許請求の範囲の請求項４に記載された、「テープ状部材を送りながら当該テープ状部材に印刷を行うと共に、」、「当該テープ状部材の送りを停止させて」、「当該テープ状部材のラベル要素部分を切断すると共に、」、「ラベル要素部分を複数回の印刷する場合に、」を、それぞれ、「テープ状部材をテープカセットから引き出して送りながら当該テープ状部材に印刷を行うと共に、」、「当該テープ状部材の送りをモータホールド状態で停止させ、」、「当該テープ状部材のラベル要素部分をその印刷長さに応じて切断すると共に、」、「ラベル要素部分を複数回印刷する場合に、」と訂正して、
　請求項４を、
「テープ状部材をテープカセットから引き出して送りながら当該テープ状部材に印刷を行うと共に、印刷終了後、当該テープ状部材の送りをモータホールド状態で停止させ、当該テープ状部材のラベル要素部分をその印刷長さに応じて切断すると共に、
　ラベル要素部分を複数回印刷する場合に、当該回数分、印刷動作及ぴこれに伴う前記テープ状の送り動作と、前記テープ状部材の切断動作とを連続して繰り返すテーププリンタの制御方法において、
　前記ラベル要素部分を複数回の印刷する場合であって、任意の１の前記ラベル要素部分の印刷動作と、これに先行する前記ラベル要素部分の切断動作とが重なる場合に、一連の印刷動作の途中で前記テープ送り手段の送り動作及び前記テープ印刷手段の印刷動作を一時休止させ、前記テープ切断手段を切断動作させることを特徴とするテーププリンタの制御方法。」と訂正する。
Ｂ．明りょうでない記載の釈明を目的として、
　発明の詳細な説明の段落番号【０００８】、【０００９】、【００１１】の記載を、訂正Ａ．により訂正された特許請求の範囲の記載に整合するように訂正する。
（５４）【発明の名称】
テーププリンタ及びその制御方法
（５７）【特許請求の範囲】
　【請求項１】　テープ状部材を
テープカセットから引き出して
と共に送り停止時にモータがホールド制御される
　前記テープ送り手段により送られてゆく前記テープ状部材に印刷を行うテープ印刷手段と、
　前記テープ送り手段が停止した状態で、送り出された前記テープ状部材のラベル要素部分を
その印刷長さに応じて
　前記ラベル要素部分の繰返し印刷回数を設定可能な印刷回数設定手段と、
　前記印刷回数設定手段により設定された繰返し印刷回数に従って、前記テープ送り手段の送り動作及び前記テープ印刷手段の印刷動作と、前記テープ切断手段の切断動作とを連続して繰り返すように制御する制御手段とを備えたテーププリンタにおいて、
　前記制御手段は、任意の１の前記ラベル要素部分の印刷動作と、これに先行する前記ラベル要素部分の切断動作とが重なる場合に、一連の印刷動作の途中で前記テープ送り手段の送り動作及び前記テープ印刷手段の印刷動作を一時休止させ、前記テープ切断手段を切断動作させることを特徴とするテーププリンタ。
　【請求項２】　前記制御手段は、前記テープ状部材が前記ラベル要素部分の送り方向の前部に不用部分を有する場合に、
印刷指令を受けた後、
　前記テープ送り手段の送り動作および前記テープ印刷手段の印刷動作を一時休止させ、前記テープ切断手段を切断動作させて前記不用部分を切断することを特徴とする請求項１に記載のテーププリンタ。
　【請求項３】　前記ラベル要素部分には、実印刷部分に加え前部マージン及び後部マージンが含まれることを特徴とする請求項１又は２に記載のテーププリンタ。
　【請求項４】　テープ状部材を
テープカセットから引き出して
モータホールド状態で
、
その印刷長さに応じて
　ラベル要素部分を複数回印刷する場合に、当該回数分、印刷動作及びこれに伴う前記テープ状部材の送り動作と、前記テープ状部材の切断動作とを連続して繰り返すテーププリンタの制御方法において、
　前記ラベル要素部分を複数回印刷する場合であって、任意の１の前記ラベル要素部分の印刷動作と、これに先行する前記ラベル要素部分の切断動作とが重なる場合に、前記印刷動作及び前記送り動作を一時休止させ、前記切断動作を優先させることを特徴とするテーププリンタの制御方法。
【発明の詳細な説明】
　【０００１】
　【発明の属する技術分野】
　本発明は文字図形をテープ状の被印刷物に印刷するテーププリンタに係わり、特にテープをカットするためのテープ切断手段を有するテーププリンタ及びその制御方法に関するものである。
　【０００２】
　【従来の技術】
　従来のテーププリンタにおいて、テープ印刷手段とテープ切断手段とが位置的に離れているため、印刷した印刷テープの印刷済み部分の前には、テープ印刷手段とテープ切断手段との間のヘッドカット間距離分の余白（不用部分）が残ってしまう。また、印刷の完了したテープ片を得るためには印刷終了後、テープ送り手段によって印刷テープを所定の位置まで送り、その後でテープカットを行っていた。
　【０００３】
　この種のプリンタは、特開平２−１４７２７２（ＵＳＰ４８３６６９７）号公報、特開昭５８−５００４７５（ＵＳＰ４４６２７０８）号公報などがある。
　【０００４】
　図２１は従来のテーププリンタにおけるラベル製作過程の説明図であり、ここで「ＡＢＣ」と印刷されたテープ片（ラベル）を製作する場合を例にあげて説明する。図２１において、Ｐ１は印刷ヘッドの位置、Ｐ２はカッタ刃の位置、Ｌはヘッドカッタ間距離を示す。図中（５０１）は印刷前の印刷テープの状態で、この状態で印刷テープを送りながら印刷を開始し、印刷が終了した状態が（５０２）である。次にテープ片を出力するために印刷テープを左方向にＬだけ送り、印刷終了位置をテープカット位置Ｐ２までテープ送りした状態が（５０３）である。この状態でテープカットを行うと「ＡＢＣ」と印刷されたテープ片がカットされた状態で出力され、（５０１）の印刷前の印刷テープの状態に戻る。ここで出力されて来るテープ片に注意すると、「ＡＢＣ」と印刷された前部側に長さＬだけの不用部分（図中の斜線部分）が生じる。
　【０００５】
　以上、従来のテーププリンタにおけるラベル製作過程をフローチャート図で表わしたものが図２２である。まず最初に印刷テープに印刷（ステップ４９１）を行い、次に印刷の終った印刷テープを長さＬ（印刷位置とテープカット位置間の距離）だけテープ送り（ステップ４９２）を行う。次にテープカット（ステップ４９３）を行い、印刷の終ったテープ片が出力される。ここで次の印刷を行うかの判断（ステップ４９４）を行い、次の印刷を実行する場合は、印刷（ステップ４９１）に戻り、印刷をしない場合は終了する。
　【０００６】
　【発明が解決しようとする課題】
　このように従来の方法では、出力されて来るテープ片には印刷された部分の他に、ヘッドカッタ間距離に相当する不用部分が含まれており、印刷後のテープの不用部分を使用者が切り落とす作業を強いられ、煩わしさを伴っていた。
　一方、同一のラベルを複数得る場合には、上記の一連の動作を連続的に繰り返せばよいが、単純に上記の動作を繰り返すと、出力されたテープ片のそれぞれに不用部分が生じ、切落し作業が煩雑になるばかりでなく、印刷テープが無駄に消費される問題があった。なお、このような無駄を幾分かでも省くためには、ヘッドカッタ間距離を極端に短くすればよいが、これは機構上困難である。
　【０００７】
　本発明は、ラベル要素部分を繰返し印刷により複数得る場合に、不用部分を極力少なくすることができるテーププリンタ及びその制御方法を提供することをその目的としている。
　【０００８】
　【課題を解決するための手段】
　本発明のテーププリンタは、テープ状部材を
テープカセットから引き出して
と共に送り停止時にモータがホールド制御される
その印刷長さに応じて
　【０００９】
　また、本発明のテーププリンタの制御方法は、テープ状部材を
テープカセットから引き出して
モータホールド状態で
、
その印刷長さに応じて
　【００１０】
　これらの構成によれば、ラベル要素部分を複数回の繰返し印刷する場合において、印刷動作と切断動作とが重なる場合に、印刷動作及び送り動作を一時休止させ、切断動作を優先させるようにしているため、任意の１のラベル要素部分の切断動作（切離し動作）を待つことなく、これに続くラベル要素部分の印刷動作を開始することができる。このため、先行するラベル要素部分とこれに続くラベル要素部分との間に、不用部分が生ずることがない。
　【００１１】
　この場合、制御手段は、テープ状部材がラベル要素部分の送り方向の前部に不用部分を有する場合に、
印刷指令を受けた後、
　【００１２】
　この構成によれば、一連の繰返し印刷動作を開始したときに、すでに生じている１枚目のラベル要素部分の不用部分を切断することができる。このため、繰返し印刷で得られる全てについて、不用部分の無いラベル要素部分を得ることができる。
　【００１３】
　これらの場合、ラベル要素部分には、実印刷部分に加え前部マージン及び後部マージンが含まれることが、好ましい。
　【００１４】
　この構成によれば、見栄えの良いラベル要素部分、すなわち見栄えの良いラベルを連続して作製することができる。
　【００１５】
　【発明の実施の形態】
　以下本発明の実施形態を図面に従って説明する。
　【００１６】
　図１は本発明の一実施形態を示すテーププリンタの外観図である。本体１は、上ケース２と下ケース３とカセットカバー４でケーシングされており、図ではカセットカバー４が開いてテープカセット１４７、リボンカセット１４８を装着した状態にある。
　【００１７】
　１５は、表示装置で液晶表示装置を用いている。２０は、キーボードで電源キー２１、プリントキー２２、文字キー２３、ファンクションキー２４等のキーが配列されている。
　【００１８】
　図２、図３は本発明のテーププリンタの機構部の構成を示す略図であり、図２はテープカセット無し時の構造を示す上面図であり、図３は図２の左側面図である。図２、図３から判るようにテープカセット装着部のカセットカバー４は開いている。これより図２、図３を用いて構造の説明を行う。
　【００１９】
　１０５は等間隔に複数の発熱体（図示しない）を有しヘッド支持体１０６に保持されている印刷ヘッド、１０７はレリーズレバ軸１１６との当接部１０７−１を有しヘッドアーム軸１０９に軸支されたヘッドアーム、１０８はヘッドアーム１０７にヘッド支持体１０６を軸支させる役目を成すヘッド支持軸、１１０はヘッドアーム１０７を矢印Ａ１７方向に付勢する役目をするヘッド押えばねである。１１１はテープ送り歯車１２８（図５に示す）の軸部１２８−１に固着したテープ送りローラ、１１２は当接部１１２−１を有しテープ送り歯車１２８を保持しているテープ送りローラホルダ、１１３は軸部１２８−１を矢印Ａ１９方向に付勢する役目を成すテープ送りローラばね、１２９はテープ送りローラホルダ１１２を軸支しているテープ送りローラホルダ軸である。１１４はメインフレーム１０１に固着したレリーズレバ支持軸１１５に軸支され両矢印Ａ１５，Ａ１６方向に回動可能なレリーズレバー、１１６はレリーズレバ１１４に固着しているレリーズレバ軸である。１１７はサブフレーム７にガイドされ両矢印Ａ１２，Ａ１３方向に移動可能でかつレリーズレバ１１４に当接している解除レバ、４は解除レバ１１７の移動を制御する役目をする矢印Ａ１１方向へ回動可能な解除カム６を有し解除カム軸１２１を支点として矢印Ａ１０方向に回動可能なカセットカバー、３はメインフレーム１０１を固定しているプリンタ下ケースである。１１８は下ケース３と一体成形された、解除カム軸１２１を支軸する支柱である。１０３はモータ歯車１２２を有したモータ、１２６はモータ歯車１２２の回転を伝達歯車１２３から伝達歯車１２４と噛合して駆動するリボン巻取歯車、１０４はリボン巻取歯車１２６によって駆動されるリボン巻取軸、１２７は伝達歯車１２３と伝達歯車１２５を介してモータ歯車１２２の回転を受けるテープ送り伝え歯車、１３０はテープ送り伝え歯車軸、１３１はプラテンローラ軸である。
　【００２０】
　１３３はテープカセットの有り無しとテープの幅などのテープカセットの種類を検出するカセット検出器１３２のスイッチ部である。
　【００２１】
　１３４、１３５はテープを切断するカッタ刃である。プリンタフレーム１０１に固定された固定刃１３４とＤＣモータ１４６の駆動により、ウオームギア１４５が回転し、伝達歯車１４３、伝達歯車１４２、伝達歯車１４１を介して、カッタ駆動歯車１３９が回転する。矢印Ａ２０，Ａ２１，Ａ２２，Ａ２３はテープカットの回転方向を示す。そしてカッタ駆動歯車１３９にはカム曲線の溝１４０が彫られており、この溝の中をカッタアーム１３７に取り付けられたカッタ駆動ピン１３８が上下移動する。つまりカッタ駆動歯車１３９の回転によってカッタ駆動ピン１３８はカッタ回動軸１３６を中心に回動ずる。この回動運動によってカッタアーム１３７に取り付けられたカッタ刃１３５が回動し、テープ押さえローラ１５０（図４に示す）とテープ送りローラ１１１によって送り出されて来る印刷テープ１５４をカットする。１５９は、カッタ駆動歯車１３９の突起部１３９−１によりカッタホーム位置を検出するマイクロスイッチからなるカッタホーム検出器である。
　【００２２】
　図２に於て、解除カム６によって解除レバ１１７は両矢印Ａ１２、Ａ１６方向に押されている。従って解除カム６に於いてはヘッド押えばね１１０とテープ送りローラばね１１３の力によって両矢印Ａ１３、Ａ１５方向への反力を受けており、両矢印Ａ１６，Ａ１５方向への回転が阻止されている。以上が本発明のテーププリンタの構造を示す説明である。
　【００２３】
　図４は、本発明のテーププリンタ機構部にテープカセット１４７、リボンカセット１４８を装着した図である。テープカセット１４７はリボンカセット１４８の側面部を覆うように装着される。テープカセット１４７の中には印刷が施される透明テープ１５１と、これの印刷面を保護するための両面粘着テープ１５２が装填されている。図４の状態は、カセットカバー４が閉じた状態で、本体側のヘッド支持体１０６がテープカセット１４８側のプラテンローラ１４９に圧接され、本体側のテープ送りローラ１１１がテープカセット側のテープ押さえローラ１５０に圧接されていて、透明テープ１５１とインクリボン１５３をヘッド支持体１０６とプラテンローラ１４９が、両面粘着テープ１５２と透明テープ１５１をテープ送りローラ１１１とテープ押さえローラ１５０がそれぞれ加圧し狭持している。
　【００２４】
　図５は、本発明のテーププリンタのブロック図である。
　【００２５】
　テーププリンタの入力、出力等のすべての各デヴァイスはＣＰＵ５０によって統括制御される。ＣＰＵ５０には数多くのＩ／Ｏポート７１、７２があり、入出力制御を行う。液晶表示装置１５はＬＣＤドライバ７３を介して制御される。２０はキーボードでＣＰＵ５０から直接キースキャンニングを行いどのキーが入力されたかを検知する。７５は警告や応答を知らせるブザーであり、ブザードライバ７４を介してＣＰＵ５０が制御する。５１はＲＯＭであり、プログラム５２、表示用キャラクタジェネレータ（以下ＣＧと称す）５３、印刷用ＣＧ５４、５５、５６を内蔵している。複数の印刷用ＣＧを持つことにより、複数の文字フォントの印刷を可能にしている。
　【００２６】
　５７はＲＡＭであり、編集バッファ５８、表示用バッファ５９、印刷用バッファ６０、作業エリア６１、スタックエリア６２、印刷設定の文字高さ設定６３、文字幅設定６４、文字装飾設定６５、文字間スペース設定６６、テープ長さ設定６７、前部マージン設定６８、フォント選択６９、リピート設定７０などを記憶している。
　【００２７】
　７６はテープ送りを行うステップモータドライバでステップモータ１０３を駆動する。また７７はカッタ駆動を行うＤＣモータドライバでＤＣモータ１４６を駆動する。１０５は印刷ヘッドであり、本発明ではサーマルヘッドを用いている。印刷ヘッド１０５は、ヘッドドライバ７９を介して駆動する。印刷ヘッド１０５はヘッド支持体１０６とヘッドアーム１０７、ヘッド支持軸１０８、ヘッドアーム軸１０９で支持されている。１３２はテープカセット検出器で、２本のスイッチ部１３３により、テープカセットのありなしや、複数のテープ幅を検出する。ステップモータ１０３が正転駆動されると、モータ歯車１２２が矢印Ａ１方向に回転し、伝達歯車１２３がＡ２方向に回転する。伝達歯車１２３から伝達歯車１２５を介してテープ送り伝え歯車１２７がＡ６方向に回転し、さらにテープ送り歯車１２８が回転してテープ送りローラ１１１がテープを送り出す。テープ押さえローラ１５０はテープカセット側に装着されており、テープカセット１４７装着時には、印刷テープ１５４をはさんでテープ送りローラ１１１に圧着している。１３０はテープ送り伝え歯車軸であり、テープ押さえローラ１５０の支持軸も兼ねている。伝達歯車１２３は、伝達歯車１２４も回転させ、リボン巻取歯車１２６も回転させる。リボン巻取歯車１２６の回転により、リボン巻取軸１０４が矢印Ａ４方向に回転しリボン巻取コア１５８と契合してリボン１５３を巻取る。矢印Ａ３、Ａ５、Ａ７はテープ送りする歯車の回転方向を示している。７８は上記全ての回路を駆動する電源である。
　【００２８】
　つづいて、本発明のテーププリンタの印刷制御について説明する。
　【００２９】
　図６は、テープ印刷の説明図で、５８はＲＡＭ５７内の編集バッファでありキーボードから入力された文字群２００を記憶している。２０１は編集文字の終わりを示す終了コードである。６０は、ＲＡＭ５７内に確保されている印刷バッファであり、図にしめすとうり、編集バッファ５８内の文字をＲＯＭ５１内の印刷ＣＧを用いてビットマップに展開するメモリである。印刷バッファ６０内の２０２と２０３はそれぞれドットのあるなしを示している。印刷バッファ６０内の縦方向の列が左側から順に印刷ヘッド１０５に送信され通電を行うと図６（ｃ）の様に印刷を行う。図６（ｃ）では印刷文字「Ａ」の一部を印刷ヘッド１０５に送信し通電を行った時の印刷ドットを示す。２０４は印刷しないドットを２０５は印刷したドットを示す。各通電は、１列毎に行われ、その間にステップモータ１０３が駆動されテープ送りが行われる。ドット列間の距離ｄ１はステップモータ１０３の駆動によりテープ送りローラ１１１の回転送り量により制御している。
　図７は、本発明のテーププリンタの印刷テープ１５４とヘッド位置の関係について示した図である。矢印Ａ３０はテープ送り方向、２１７はヘッド位置とカッタ位置の距離分の余白のテープであり、２１０はその長さを示している。２１１はテープ長で、前部マージン２１２、印刷範囲２１３、後部マージン２１４の総和である。２１５はテープ幅で、２１６は印刷幅である。
　【００３０】
　初期状態では印刷ヘッド１０５はＨ１に位置している。印刷指令を受けると前部マージン２１２分テープを送る。印刷ヘッド１０５がＨ２の位置にくると印刷を開始する。印刷開始後前部マージンの先端がカッタ位置にくる時、印刷ヘッド１０５はＨ３の位置にあり、印刷を停止しカット処理を行う。カット後印刷を再開し印刷を終了すると印刷ヘッド１０５はＨ４に位置する。印刷を停止し後部マージン２１４分のテープ送りを行う。このときＨ５に位置する。そして印刷したテープ片を得るために、ヘッドカッタ間距離２１０分のテープを送った後、カットを行なう（印刷ヘッド１０５の位置はＨ６）。このときのヘッドカッタ間距離２１０分のテープは無駄である。その無駄を解消する方法は後で述べる。
　【００３１】
　さて、カット時のドット間の縦抜けを防ぐ為に、本発明の実施形態を説明する。その方法の１つは、ステップモータのホールド制御であり、他の１つはテープカット前後にテープを逆転させる方法である。
　【００３２】
　まず、ステップモータのホールド制御について説明する。本実施形態では２つの方法について例をあげる。その１つは電流制御であり、他の１つはチョッピング制御である。
　【００３３】
　図８はステップモータの駆動制御回路の略図である。図９は図８の駆動制御回路の駆動方法を示すタイミング図である。図１０はステップモータのホールド制御をモータ駆動制御により実現したタイミング図である。
　【００３４】
　図８のステップモータの駆動制御回路はステップモータ１０３の電流制限回路を電流制限抵抗２３７と大電流をバイパスするトランジスタ２３６によって簡単に構成したものである。ホールド信号２３５が入るとトランジスタ２３６はＯＦＦ状態となり電流は電流制限抵抗２３７を通して流れる。ホールド信号２３５が入らない時はトランジスタ２３６はＯＮ状態になり大きな電流が流せるようになる。このようにしてステップモータの回転を停止させ小電力でホールド状態にするものである。図中２３０はステップモータ駆動ドライバであり、２３１、２３２、２３３、２３４はそれぞれステップモータの１相、２相、３相、４相の各端子を示す。
　【００３５】
　図９において、２４０、２４１、２４２、２４３はそれぞれステップモータの１相、２相、３相、４相の各タイミング信号である。また２４４は、ホールド信号を示す。Ｔ１，Ｔ３区間はステップモータの回転制御区間であり、Ｔ２区間はホールド制御区間である。図８で説明した通り、ホールド信号２４４がＨＩＧＨの状態（Ｔ２区間）ではトランジスタ２３６がＯＦＦ状態となりステップモータ１２２を小電力でホールドする。このＴ２区間において、印刷したテープのカットを行う。図では４相においてホールドしている。
　【００３６】
　図１０はステップモータのホールド制御を励磁相の駆動信号を断続的に制御するいわゆるチョッピング制御する事により実現したものであり、ステップモータの駆動制御回路は図８より電流制限抵抗２３７、トランジスタ２３６、ホールド信号２３５を削除したものとなる。Ｔ１，Ｔ３が回転制御区間であり、Ｔ２がホールド制御区間である。図中２４０、２４１、２４２、２４３はそれぞれステップモータの１相、２相、３相、４相の各タイミング信号である。
　【００３７】
　次に、テープカット前後にテープを逆転させる方法を説明する。
　【００３８】
　図１１は、テープカット前後にテープ送りを逆転・正転するタイミングチャートである。図に於て２４０、２４１、２４２、２４３はそれぞれステップモータ１０３の１相、２相、３相、４相の各駆動信号を示す。また、２５０はヘッドの通電信号、２５１はカッタ起動信号、２５２はカッタホームセンサの検出信号、２４４はヘッドホールド信号である。Ｔ１区間では通常のテープ送り（ｔ１、ｔ２，ｔ３，ｔ４）と通電（ｔ５）を行っている。Ｔ６は１ドット列分のテープ送り時間を示す。カット位置にくるとテープ送りを逆転させ（Ｔ４）、テープカットを行う（Ｔ２）。その後逆転させたテープを正転させカット前の位置にテープを戻す（Ｔ５）。そしてテープ送りと印刷を再開する（Ｔ３）。テープカットに際しては、前述したように、ステップモータのホールド信号２４４もしくはチョッピング制御によりホールドする。その間カッタを駆動するＤＣモータ１４６をカッタ駆動信号２５１により起動する。オートカットが終了したことを示す信号がカッタホーム検出器１５９よりホーム位置検出信号２５２として出力されるので、そのカッタホーム検出信号２５２を検出した時点でオートカッタ駆動信号２５１を停止する。次にホールド信号２４４を停止し印刷動作を再開する。図中ｔ１、ｔ２、ｔ３、ｔ４はそれぞれステップモータ１の１相、２相、３相、４相の駆動パルス時間を示し、ｔ５は印刷ヘッド６の通電時間、ｔ７はカッタの駆動時間、ｔ８とｔ９はカッタの検出器のパルス時間、ｔ６はテープ逆転後、電源が安定しカッタを駆動するまでの時間を示す。
　【００３９】
　テープカット時における、両面粘着テープと透明テープの状態を示したものが図１２である。図において、両面粘着テープ１５２と透明テープ１５１は、通常テープ送り出しの張力により引っ張られているが、テープ送りの逆転により、それぞれ１５２−１と１５１−１のようにたるませた状態となる。このとき、印刷ヘッド１０５の位置では、透明テープ１５１とインクリボン１５３は印刷ヘッド１０５とプラテンローラ１４９に圧着され動くことはない。ここでテープカットされると、両面粘着テープ１５２−１と透明テープ１５１−１はカッタに引っ張られわずかに送られるが、やはり、透明テープ１５１とインクリボン１５３は印刷ヘッド１０５とプラテンローラ１４９に圧着され動くことはない。テープカット後にテープ送りは正転され、両面粘着テープ１５２−１と透明テープ１５１−１は元の張った状態に戻る。正転させるとき、逆転の時より少ないパルス数分戻すことにより、余分に引っ張り出してしまうことのないよう制御する。
　【００４０】
　逆転の有効性を図１３（ａ）図１３（ｂ）で説明する。図１３（ａ）図１３（ｂ）は、ステップモータ歯車１２２と伝達歯車１２３の契合部の略図である。図１３（ａ）は通常のテープ送りときの停止状態を、図１３（ｂ）は逆転のときの停止状態を示している。図１３（ａ）において矢印Ａ３１方向に回転するとテープを送り出す。この状態でカッタが動作すると、矢印Ａ３２方向にテープが引っ張られ伝達歯車は、破線１２３’のように動いてしまう。図１３（ｂ）の状態では、矢印Ａ３３方向にテープを逆転させており、このときカッタが動作して矢印Ａ３４方向に引っ張られても伝達歯車１２３は動くことができない。図１３（ａ）の現象は、他のテープ送りに係わるすべての歯車１２５、１２７、１２８についても起こるのでカット時にテープが引き出されるのは容易であり、その量も累積される。
　【００４１】
　図１４、図１５、図１６はテープカット時の逆転を含めた制御フローチャートである。
　【００４２】
　図１４において、ＬＭは前部マージン、ＰＬは印刷長、ＲＭは後部マージン、Ｃはテープ送りのドットカウンタ値を示す。Ｎはヘッドカッタ間のテープ送り距離をドット換算した数値である。これらの変数は、ＲＡＭ５７内の作業用領域６１内に確保される。
　【００４３】
　印刷スタートすると（ステップ３００）、まず、ＲＡＭ５７内の前部マージン設定値（ＬＭＧＮ）６８から前部マージンＬＭを計算する。この計算はミリメータをドットに計算する。（ステップ３０１）
　　　　ＬＭ＝ＬＭＧＮ（ｍｍ）／ｄ１　（ｄ１はテープ送りドット間距離。図６参照）
次に、印刷長ＰＬを計算する。印刷長ＰＬは印刷文字の幅（ＷＩＤＥ）６４と文字数と文字間スペース（ＣＳＰＣ）６６で計算する。（ステップ３０２）
　　　　ＰＬ＝ＷＩＤＥ×文字数＋ＣＰＳＣ×（文字数−１）
次に、後部マージンＲＭを計算する。後部マージンＲＭは、テープ長設定（ＴＬＮＧ）６７から前部マージンＬＭと印刷長ＰＬを引けば良い。（ステップ３０３）
　　　　ＲＭ＝ＴＬＮＧ−ＬＭ−ＰＬ
計算した後部マージンＲＭが負であれば、テープ長の設定値が短いため、エラーとする。（ステップ３０４，３０５）
テープ送りのドットカウンタＣを初期化する。（ステップ３０６）
　まず、前部マージンのテープ送りを行う（Ｓ１）。すなわち、ＬＭが０になるまで（ステップ３０９）１ドット送り（ステップ３１１）とＬＭを−１して、カウンタＣを＋１してゆく（ステップ３１０）。この時Ｃの値がカット位置に来たかどうかをＣとＮを比較することでチェックする。（ステップ３０７）カット位置に来たならば、カット制御Ａを行う。（図１５）
　同様に、印刷動作を行う（Ｓ２）。（ステップ３１２〜３１７）印刷動作が前部マージンのテープ送りと異なるのは１ドット送り毎に１ドット列の印刷を行うことと（ステップ３１７）、カット制御Ｂを行う（ステップ３１３）ことである。カット制御Ｂとカット制御Ａの違いは、テープ送りの逆転・正転を行うか行わないかの違いである。
　【００４４】
　前部マージンと同様に、後部マージンのテープ送りを行う（Ｓ３）。（ステップ３１８〜３２２）
　前部マージンのテープ送り、印刷のテープ送り、後部マージンのテープ送りにおいてカッタ位置が来る（Ｃ＝Ｎとなる）のは、必ず１回であるから、カット制御のステップ３０８，３１３，３１９はどれか１箇所でカットが行われる。
　【００４５】
　後部マージン送り後、テープのカットを行う。Ｎドットテープ送りをした後（ステップ３２３）カット制御Ａを行なって（ステップ３２４）印刷制御を終了する（ステップ３２５）。
　【００４６】
　図１５は、カット制御Ａ（逆転をしない場合）のフローチャートである。図に於てＴは、ＣＰＵ５０内部のタイマーであり（図示しない）、ＴＮはカッタのタイムアウト時間である。まず、タイマーＴのタイムアウト時間ＴＮをセットする。（ステップ３３１）そして、カッタ駆動するＤＣモータ１４６を起動する（ステップ３３２）。カッタホームセンサ１５９の信号がＯＮになるまで（ステップ３３３）タイマーＴを−１減じてゆき（ステップ３３４）、タイマーＴが０になったところでタイムアウトと判断し（ステップ３３５）、カッタ作動エラーとする（ステップ３３６）。タイムアウトになる前にカッタホームセンサ１５９がＯＮとなれば、センサ１５９がＯＦＦしてから（ステップ３３７）、ＤＣモータを停止して（ステップ３３８）終了する（ステップ３３９）。
　【００４７】
　図１６は、カット制御Ｂ（逆転する場合）のフローチャートである。図において、Ｗ１は逆転のステップ数で、Ｗ２は正転のステップ数であり、必ず
　　　　Ｗ２≦Ｗ１
である。
　【００４８】
　カット制御Ｂでは、カット制御Ａを呼ぶ（ステップ３４２）前にＷ１ドット分のテープの逆転送りを行い（ステップ３４１）、カット制御Ａの後にＷ２ドット分のテープの正転送りを行う（ステップ３４３）。
　【００４９】
　印刷中のカット制御により図７で示した、前部後部マージンにてカットするテープ印刷が可能となる。
　【００５０】
　次に、前部マージンとテープ長の設定手段を説明する。
　【００５１】
　図１７は、本発明のテーププリンタの主制御ルーチンのフローである。電源ＯＮで（ステップ３５０）まずシステム初期化を行う（ステップ３５１）。続いてプリンタ機構部の初期化を行う（ステップ３５２）。プリンタ機構部の初期化では、カッタをホーム位置に移動する。３５３で編集バッファ５８の文字を表示し、キー入力待ちを行う（ステップ３５４）。入力されたキーが文字キーならば（ステップ３５５）、編集バッファ５８へ入力する（ステップ３５６）。文字キーでなければ制御キー判定を行い（ステップ３５８）、制御キーに従って動作する。ＳＨＩＦＴキー、ＣＡＰＳキーでは次の文字を入力待ちし（ステップ３５９，３６２）、入力されたキーが文字キーならば（ステップ３６０，３６３）、それぞれ記号・大文字に変換し（ステップ３６１，３６４）編集バッファに入力する。文字キーでなければ、そのキーを無視し次のキーを入力待ちする（ステップ３５４）。制御キー判定において、ＦＵＮＣキーならば、次のキーを入力待ちし（ステップ３６５）、文字キーならば（ステップ３６６）ファンクションキー判定を行い（ステップ３６７）ファンクション機能を動作させる。ファンクションキー判定において、入力キーが数字キーの１、２、３、４、５、６、ならば、それぞれ文字高さ設定（ステップ３７１）、文字幅設定（ステップ３７２）、文字装飾設定（ステップ３７３）、文字間スペース設定（ステップ３７４）、テープ長設定（ステップ３７５）、前部マージン設定（ステップ３７６）を行う。数字キーは図１においてキーボード２０の所定のキーに配置される。印刷指令キーならばリピート印刷を行う（ステップ３７７）。制御キー判定（ステップ３５８）において、印刷指令キーならば印刷処理を行い（ステップ３６８）、カーソルキーならばカーソル移動を行い（ステップ３６９）、改行キーならば改行動作を行う（ステップ３７０）。
　【００５２】
　テープ長設定（ステップ３７５）と前部マージン設定（ステップ３７６）においては、表示装置１５上に見出しと現在の設定値がミリメートルの単位で表示され、カーソルキーで数値を上下させるか、数字キーで数値を直接入力するかして、改行キーで数値を確定する。ここで、後部マージンの設定手段は不要である。すなわち、テープの設定手段と前部マージンの設定手段と文字幅の設定手段、文字間スペース設定手段があれば後部マージンは自動的に決定するからである。
　【００５３】
　最後に、ヘッドカッタ間のテープの余白をつくり出さない印刷制御について説明する。上記において、リピート印刷（ステップ３７７）がそれである。
　【００５４】
　図１８は本発明の一実施形態を示すテーププリンタにおけるラベル製作過程の説明図であり、前述した従来例と同様に「ＡＢＣ」と印刷されたテープ片を出力する場合を考える。Ｐ１は印刷ヘッド１０５の位置、Ｐ２はカッタ刃の位置、Ｌはヘッドカッタ間距離を示す。図中（ａ）は印刷前のテープの状態で、この状態よりテープを送りながら印刷を開始し、テープを左方向に長さしだけ送ったところで、一時印刷とテープ送りを停止する（（ｂ）の状態）。この状態でテープカットを行い余分な部分（図中の斜線部分）を切り落とすと（ｃ）の状態となる。テープカット後、印刷とテープ送りを再開し、印刷終了した状態が（ｄ）である。ここで次の印刷の予定がなくテープ片を出力したい場合（印刷作業を終わりにする場合）は、テープを左方向にＬだけ送り、（ｆ）の状態でテープカットを行えば、余分な部分のない「ＡＢＣ」と印刷されたテープ片が出力される。一方、印刷作業を続ける場合は、（ｄ）の状態よりテープを送りながら２回目の印刷を開始し、テープを左方向に長さＬだけ送ったところで、一時印刷とテープ送りを停止する（（ｅ）の状態）。この状態でテープカットを行い「ＡＢＣ」と印刷されたテープ片を切り離すと（ｃ）の状態となる。テープカット後、印刷とテープ送りを再開し、印刷終了した状態が（ｄ）である。このように、「ＡＢＣ」と印刷されたテープ片を連続で出力するには、最初に（ａ）、（ｂ）の動作を行い、次に図１８中の（ｃ）、（ｄ）、（ｅ）の動作を繰り返せば、最初に長さＬだけの無駄なテープ（図中の斜線部分）が生じるだけで、出力されて来るテープ片には無駄な部分は含まれない。
　【００５５】
　本発明の一実施形態を示すテーププリンタにおけるラベル製作過程をフローチャート図で表わしたものが図１９である。まず最初にテープに長さＬ（印刷位置とテープカット位置間の距離）だけ印刷（ステップ３８１）を行い、ここで一時、印刷を中断し、Ｗ１ステップ分テープを逆転し（ステップ３８２）、テープカットを行った後（ステップ３８３）、Ｗ２ステップ分テープを正転させ（ステップ３８４）残りの印刷（ステップ３８５）を再開する。印刷終了後、次の印刷を行うかの判断（ステップ３８６）を行い、次の印刷を実行する場合は、印刷（ステップ３８１）に戻り、印刷をしない場合は長さＬだけテープ送り（ステップ３８７）、テープカット（ステップ３８８）を行い終了する（ステップ３８９）。
　【００５６】
　ステップ３８６においての判定は、リピート印刷の直前にリピート回数を使用者に設定させその回数を０になるまでカウントダウンしても良い。
　【００５７】
　なお本実施形態では「ＡＢＣ」と印刷されたテープ片を連続で出力する場合について説明したが、一回毎に印刷する文字や図形を変えて、連続で印刷する場合についても、なんら差し支えない。
　【００５８】
　図２０は本発明のテーププリンタにおける制御工程の他の実施形態をフローチャート図で表わしたものであり図１９と同一工程は同一番号で示す。まず最初にテープに長さＬ（印刷位置とテープカット位置間の距離）だけ印刷（ステップ３８１）を行い、ここで一時、印刷を中断し、Ｗ１ステップ分テープを逆転し（ステップ３８２）、テープカットを行った後（ステップ３８３）、Ｗ２ステップ分テープを正転させ（ステップ３８４）残りの印刷（ステップ３８５）を再開する。印刷終了後、次の印刷を行うかを表示手段を用いて作業者に問い合わせる。（ステップ３９０）一例として”Ｃｏｎｔｉｎｕｅ？（Ｙ／Ｎ）”と表示する。ここでキー入力を待ち（ステップ３９１）、キー入力後入力文字によって判断する行程（ステップ３９２）に移行し、”Ｙ”入力なら、印刷（ステップ３８１）に戻り、”Ｎ”入力で印刷を続行しない場合は長さＬだけテープ送り（ステップ３８７）、テープカット（ステップ３８８）を行い終了する（ステップ３８９）。”Ｙ”又は”Ｎ”の入力待ちでもし数値が入力された場合はこの回数だけリピート印刷を実行するように応用することも可能である。
　【００５９】
　【発明の効果】
　以上に述べたように本発明のテーププリンタ及びその制御方法によれば、先行するラベル要素部分の切断動作を待つことなく、これに続くラベル要素部分の印刷動作を開始することがてきるため、ラベル要素部分に不用部分が生ずることがなく、不用部分を切り落とす作業を省略することができると共に、テープ状部材を無駄に消費するのを防止することができる。
【図面の簡単な説明】
　【図１】
　本発明の一実施形態のテーププリンタの外観図。
　【図２】
　本発明の一実施形態のテーププリンタの構造を示す上面図。
　【図３】
　本発明の一実施形態のテーププリンタの構造を示す側面図。
　【図４】
　本発明の一実施形態のテーププリンタにテープカセットを装着した様子を示す上面図。
　【図５】
　本発明の一実施形態のテーププリンタの全体構成を示すブロック図。
　【図６】
　本発明の一実施形態のテーププリンタの印刷制御を示す模式図。
　【図７】
　本発明の一実施形態のテーププリンタの印刷制御を示す模式図。
　【図８】
　本発明の一実施形態のテーププリンタのテープ送りモータの回路図。
　【図９】
　本発明の一実施形態のテーププリンタのテープ送りモータの制御タイミング図。
　【図１０】
　本発明の一実施形態のテーププリンタのテープ送りモータの制御タイミング図。
　【図１１】
　本発明の一実施形態のテーププリンタのカット制御を示すタイミング図。
　【図１２】
　本発明の一実施形態のテーププリンタのカット制御の時のテープの略図。
　【図１３】
　本発明の一実施形態のテーププリンタのカット制御の時の歯車の略図。
　【図１４】
　本発明の一実施形態のテーププリンタのカット制御を示すフローチャート図。
　【図１５】
　本発明の一実施形態のテーププリンタのカット制御を示すフローチャート図。
　【図１６】
　本発明の一実施形態のテーププリンタのカット制御を示すフローチャート図。
　【図１７】
　本発明の一実施形態のテーププリンタの主制御を示すフローチャート図。
　【図１８】
　本発明の一実施形態のテーププリンタのカット制御時の印刷テープの模式図。
　【図１９】
　本発明の一実施形態のテーププリンタの制御方法を示すフローチャート図。
　【図２０】
　本発明の一実施形態のテーププリンタの制御方法を示すフローチャート図。
　【図２１】
　従来の一実施形態のテーププリンタのカット制御時の印刷テープの模式図。
　【図２２】
　従来の一実施形態のテーププリンタのカット制御を示すフローチャート図。
　【符号の説明】
　　１５　　　液晶表示装置
　　２０　　　キーボード
　　５０　　　ＣＰＵ
　　５２　　　ＲＯＭ
　　５７　　　ＲＡＭ
　　１０３　　テープ送りモータ
　　１０５　　印刷ヘッド
　　１１１　　テープ送りローラ
　　１４６　　カッタ駆動モータ
　　１３４　　カッタ固定刃
　　１３５　　カッタ駆動刃
　　１４９　　プラテンローラ
　　１５０　　テープ押さえローラ
　　１５１　　透明テープ
　　１５４　　印刷テープ